(57)【要約】【課題】  絞込に使用するキーワードの入力が必要であったため、会議記録の円滑な再生を阻害していた。【解決手段】  会議において使用された画像と、会議において記録された議事録情報を取得し、取得された画像と議事録情報とを関連付けて再生し、前記議事録情報の種類の指定をユーザの操作から取得し、取得した議事録情報の種類が記録された時点を、前記画像と議事録情報と共に表示されたタイムライン上に、クリップとして表示する。【選択図】  図５
2012048635.tif 000002
【特許請求の範囲】
【請求項１】
会議において使用された画像と、会議において記録された議事録情報を取得する取得手段と、
前記取得手段によって取得された画像と議事録情報とを関連付けて再生する再生手段と、
前記議事録情報の種類の指定をユーザの操作から取得する入力手段と、
前記入力手段によって取得した議事録情報の種類が記録された時点を、前記画像と議事録情報と共に表示されたタイムライン上に、クリップとして表示する表示制御手段と
を備えることを特徴とする議事録再生支援装置。
【請求項２】
前記表示制御手段は、会議参加者の発言の種類をクリップとして表示することを特徴とする請求項１に記載の議事録再生支援装置。
【請求項３】
議事録再生支援装置の制御方法であって、
会議において使用された画像と、会議において記録された議事録情報とを取得する取得工程と、
取得された画像と議事録情報を関連付けて再生する再生工程と、
前記議事録情報の種類の指定をユーザの操作から取得する入力工程と、
取得した議事録情報の種類が記録された時点を、前記画像と議事録情報と共に表示されたタイムライン上に、クリップとして表示する表示制御工程と
を備えることを特徴とする議事録再生支援装置の制御方法。
【請求項４】
議事録再生支援装置の制御方法をコンピュータに実行させるコンピュータプログラムであって、
会議において使用された画像と、会議において記録された議事録情報を取得する取得工程と、
取得された画像と議事録情報とを関連付けて再生する再生工程と、
前記議事録情報の種類の指定をユーザの操作から取得する入力工程と、
取得した議事録情報の種類が記録された時点を、前記画像と議事録情報と共に表示されたタイムライン上に、クリップとして表示する表示制御工程と
を備えることを特徴とするコンピュータプログラム。
【発明の詳細な説明】
【技術分野】
【０００１】
本発明は、会議において使用したドキュメントや画像および音声を記録し再生する議事録再生支援装置に関する。
【背景技術】
【０００２】
近年のネットワークの発展に伴い、コンピュータシステムを利用して会議において使用したドキュメントや発表内容、画像および音声を記録し再生する議事録再生支援装置の利用範囲が広がっている。
【０００３】
例えば特許文献１では、会議情報を分析して重要度を時系列的に表わす技術が記載されている。
【先行技術文献】
【特許文献】
【０００４】
【特許文献１】特開平７−１８２３６５号公報
【発明の概要】
【発明が解決しようとする課題】
【０００５】
しかしながら、作成した電子議事録の閲覧時において、閲覧の目的の項目に到達するために、キーワードの入力等が必要であり、議事録情報の円滑な再生・閲覧を阻害していた。
【０００６】
本発明は上述した問題を解決するためになされたものであり、発言の種類や発言者を示す議事録情報を選択することにより、再生時に記録した画像等を絞り込むことを可能とする議事録再生支援装置及び制御方法を提供することを目的とする。
【課題を解決するための手段】
【０００７】
本願発明の議事録再生支援装置は、会議において使用された画像と、会議において記録された議事録情報を取得する取得手段と、前記取得手段によって取得された画像と議事録情報とを関連付けて再生する再生手段と、前記議事録情報の種類の指定をユーザの操作から取得する入力手段と、前記入力手段によって取得した議事録情報の種類が記録された時点を、前記画像と議事録情報と共に表示されたタイムライン上に、クリップとして表示する表示制御手段とを備えることを特徴とする。
【発明の効果】
【０００８】
以上の構成からなる本発明によれば、発言の種類や発言者を示す議事録情報を選択することにより、再生時に記録した画像等を絞り込むことが可能となる。
【図面の簡単な説明】
【０００９】
【図１】（ａ）議事録再生支援装置のブロック構成図、（ｂ）制御部１０１のブロック構成図
【図２】議事録作成処理の一例を示すフローチャート
【図３】議事録作成・再生画面の一例
【図４】タイムライン表示の一例
【図５】議事録再生処理の一例を示すフローチャート
【発明を実施するための形態】
【００１０】
以下、添付の図面を参照して、本発明をその好適な実施形態に基づいて詳細に説明する。なお、以下の実施形態において示す構成は一例に過ぎず、本発明は図示された構成に限定されるものではない。
【００１１】
＜実施形態１＞
図１（ａ）は実施形態１における議事録再生支援装置のブロック構成図である。
【００１２】
図１（ａ）において、１０１は装置全体の制御を司る制御部であり、ＣＰＵ等で構成される。図１（ｂ）は制御部１０１のブロック構成図であり、記録制御部１０５、取得部１０６、再生部１０７、表示制御部１０８から構成される。１０２はブートプログラムやＢＩＯＳ、各種アプリケーション、データファイル等が記憶される記憶部であり、ＲＯＭ、ＲＡＭ、ＨＤＤ等の記憶媒体から構成される。１０３はビデオメモリを内蔵し、制御部１０１の制御の下で描画処理及び表示用のビデオ信号を生成し出力する表示部であり、表示部１０３に接続されたモニタにビデオメモリの内容を表示する。１０４は入力装置として機能するキーボード・ポインティングデバイス制御機能を有する入力部であり、接続されたキーボードやマウス等の入力装置からの操作情報を受信して、その操作情報に応じて各種処理を実行する。
【００１３】
議事録作成プログラムは、記憶部１０２に記憶されており、制御部１０１上で実行される。記録された議事録情報は、記憶部１０２内に電子データとして蓄積される。記憶部１０２は、ブロック図に図示していないネットワーク上にあり、ネットワークＩＦを通してデータの読み書きを行っても良い。
【００１４】
図２は、議事録作成処理の一例を示すフローチャートである。ステップＳ２０１において、取得部１０６は、議事録作成対象となる画像と音声の取得を行う。ステップＳ２０２において、取得部１０６は取得した画像と音声を記憶部１０２に保存する。ここで画像とは、会議中に使用された画像、ディスプレイに表示された画面や記録された映像、またはカメラで撮影された映像などである。音声は、会議中にディスプレイから再生された音声やカメラで録音された音声などである。ステップＳ２０３において、取得部１０６は議事録情報を取得する。議事録情報とは、議事録として会議参加者の発言をメモしたテキストや発言者の名前、発言の内容、発言の種類、タイムスタンプなどである。議事録情報は、ユーザが手動で入力しても良いし、音声認識システム等により自動で取得しても良い。
【００１５】
図３は、議事録作成・再生画面の一例である。３０１は、ある時点で記録された議事録情報である。再生時点より後ろの議事録情報３０１は、３０２のようにグレーアウトして表示されることが好ましい。再生時点を境に表示を変更することで、議事録情報３０１自体がタイムラインとして機能することになる。３０３は、質問（Ｑｕｅｓｔｉｏｎ）、意見（Ｏｐｉｎｉｏｎ）、宿題（Ａ．Ｉ）、決定事項（Ｃｏｎｃｌｕｓｉｏｎ）など、発言の種類である。３０４は、発言者を示す参加者の名前である。３０５は、発言の内容である。３０６は、再生時点で取得、または表示された画像である。３０８は、会議進行のタイムラインを示している。図４は、タイムライン３０８表示の一例である。４０１は、タイムライン上のクリップである。議事録再生時に指定した議事録情報のタイムスタンプの時点が、クリップ４０１として表示されている。ここで議事録情報は、例えば、発言の種類の一つである「宿題」等であり、ユーザによって「宿題」の表示が指定された場合に、会議中で議事録情報として宿題が記録された時点が表示される。４０２は、タイムライン上に記録・再生の時点を示すスライダーである。スライダー４０２を左右に動かすことで、記録・再生の時点が変化する。４０３は、戻るボタンおよび進むボタンである。ボタン４０３を押下することで、前後のクリップ４０１へ記録・再生の時点が変化する。４０４は、現在クリップとして表示されている議事録情報の種類である。
【００１６】
図２のステップＳ２０４において、記録制御部１０５は取得した議事録情報を記憶部１０２に保存する。次に、ステップＳ２０５において、制御部１０１は会議が終了したか確認する。ステップＳ２０５において、会議が終了していない場合は、ステップＳ２０１に戻る。会議が終了している場合は、記録を終了する。
【００１７】
図５は、会議再生処理の一例を示すフローチャートである。ステップＳ５０１において、取得部１０６は、記憶部１０２に記憶された再生対象となる画像もしくは音声の取得を行う。ステップＳ５０２において再生部１０７は、取得した画像もしくは音声を議事録情報と関連付けて再生する。ステップＳ５０３において、取得部１０６はユーザからの操作を取得する。ステップＳ５０４において、表示制御部１０８は取得した操作が議事録情報の指定であるか確認する。ステップＳ５０４において、議事録情報の指定でない場合は、ステップＳ５０６へ進む。ステップＳ５０５において、議事録情報の指定であった場合は、表示制御部１０８は、変更された議事録情報に該当する項目を記憶部１０２に記憶された議事録情報から抽出する。そしてクリップ４０１を、タイムライン上であり会議中で当該項目が議事録情報として記録された時点に表示する。また、表示制御部１０８は、ステップＳ５０５においてクリップ４０１に対応する議事録情報３０１だけを表示するようにしてもよい。
【００１８】
ステップＳ５０６において、表示制御部１０８は取得した操作がクリップ操作であるか確認する。クリップ操作とは、タイムライン上のクリップのクリック、スライダーの移動、進む、戻るといったボタンの押下、議事録情報３０１のクリックを指す。ステップＳ５０６において、クリップ操作でない場合は、ステップＳ５０８へ進む。クリップ操作であった場合は、表示制御部１０８はステップＳ５０７で再生位置を指定されたクリップの時点に変更する。
【００１９】
ステップＳ５０８では、取得した再生操作が再生終了であるか確認する。ステップＳ５０８において、再生終了でない場合は、ステップＳ５０１に戻る。再生終了であった場合は、再生を終了する。
【００２０】
＜その他の実施形態＞
以上、実施形態例を詳述したが、本発明は例えば、システム、プログラム若しくは記録媒体（記憶媒体）等としての実施態様をとることが可能である。具体的には、複数の機器（例えば、ホストコンピュータ、インタフェース機器、撮像装置、Ｗｅｂアプリケーション等）から構成されるシステムに適用しても良いし、また、一つの機器からなる装置に適用しても良い。
【００２１】
また、本発明の目的は、以下のようにすることによって達成されることはいうまでもない。即ち、前述した実施形態の機能を実現するソフトウェアのプログラムコード（コンピュータプログラム）を記録した記録媒体（または記憶媒体）を、システムあるいは装置に供給する。係る記憶媒体は言うまでもなく、コンピュータ読み取り可能な記憶媒体である。そして、そのシステムあるいは装置のコンピュータ（またはＣＰＵやＭＰＵ）が記録媒体に格納されたプログラムコードを読み出し実行する。この場合、記録媒体から読み出されたプログラムコード自体が前述した実施形態の機能を実現することになり、そのプログラムコードを記録した記録媒体は本発明を構成することになる。
【図１】
2012048635.tif 000003
【図２】
2012048635.tif 000004
【図３】
2012048635.tif 000005
【図４】
2012048635.tif 000006
【図５】
2012048635.tif 000007